(57)【要約】【課題】各測定結果表示用フレームのグラフによって示したレベルを確実かつ容易に読み取り可能に表示し得る測定結果表示装置を提供する。【解決手段】周波数（測定対象成分）を矢印Ａ１の方向に対応させると共に周波数のレベルを矢印Ａ１の方向と交差する矢印Ａ２の方向に対応させて各周波数の測定されたレベルをグラフＧａ〜Ｇｈによって表示するスペクトル表示用フレーム１１ａ〜１１ｈを表示部５に表示させる表示制御部を備えた測定結果表示装置であって、表示制御部が、複数のスペクトル表示用フレーム１１ａ〜１１ｈを矢印Ａ３の方向にずらして測定順に重ねて表示させると共に、いずれかのレベルが指定されたときに、各スペクトル表示用フレーム１１ａ〜１１ｈにおける指定されたレベル（一点鎖線Ｌａ〜Ｌｈの部位）を結ぶ指定レベル面表示１５を表示部５に表示させる。【選択図】図３
2011033370.tif 000002
【特許請求の範囲】
【請求項１】
測定対象成分を第１方向に対応させると共に当該測定対象成分のレベルを当該第１方向と交差する第２方向に対応させて当該各測定対象成分の測定されたレベルをグラフによって表示する測定結果表示用フレームを表示部に表示させる表示制御部を備えた測定結果表示装置であって、
前記表示制御部は、複数の前記測定結果表示用フレームを第３方向にずらして測定順およびその逆順のいずれかの順に重ねて表示させると共に、いずれかの前記レベルが指定されたときに、前記各測定結果表示用フレームにおける前記指定されたレベルを結ぶ指定レベル面表示を前記表示部に表示させる測定結果表示装置。
【請求項２】
前記表示制御部は、前記レベルが指定されたときに、前記各測定結果表示用フレームの前記グラフにおいて当該指定されたレベルを上回るレベルの表示部位と、前記グラフにおいて前記指定されたレベルを下回るレベルの表示部位とを区別して前記表示部に表示させる請求項１記載の測定結果表示装置。
【請求項３】
前記表示制御部は、所定の条件が指定されたときに、前記各測定結果表示用フレームの前記グラフにおいて当該指定された指定条件を満たすレベルの表示部位と、前記グラフにおいて前記指定条件を満たさないレベルの表示部位とを区別して前記表示部に表示させる請求項１または２記載の測定結果表示装置。
【請求項４】
前記表示制御部は、前記指定条件を満たすレベルが存在する前記測定結果表示用フレームを前記表示部に表示させた状態において当該指定を満たすレベルが存在しない前記測定結果表示用フレームを非表示とする請求項３記載の測定結果表示装置。
【請求項５】
測定対象成分を第１方向に対応させると共に当該測定対象成分のレベルを当該第１方向と交差する第２方向に対応させて当該各測定対象成分の測定されたレベルをグラフによって表示する測定結果表示用フレームを表示部に表示させる測定結果表示方法であって、
複数の前記測定結果表示用フレームを第３方向にずらして測定順およびその逆順のいずれかの順に重ねて表示させると共に、いずれかの前記レベルが指定されたときに、前記各測定結果表示用フレームにおける前記指定されたレベルを結ぶ指定レベル面表示を前記表示部に表示させる測定結果表示方法。
【発明の詳細な説明】
【技術分野】
【０００１】
本発明は、複数の測定対象成分についての測定されたレベルをグラフによって表示する測定結果表示用フレームを表示させる測定結果表示装置および測定結果表示方法に関するものである。
【背景技術】
【０００２】
この種の測定結果表示方法に従って周波数スペクトルを表示する測定結果表示装置として、周波数スペクトル分析装置（以下、単に「分析装置」ともいう）が特開２００５−２１４７７７号公報に開示されている。この分析装置では、分析対象のアナログ信号をデジタルデータに変換した後に、所定の演算処理によってパワースペクトルを求め、その結果（スペクトル波形）を表示部に表示させる構成が採用されている。この場合、この分析装置では、一例として、演算処理によって求めたスペクトルにおける周波数を画面左右方向に対応させると共に各周波数のレベルを画面上下方向に対応させて各周波数毎のピークパワー（測定されたレベル）をスペクトル波形として表示させる構成が採用されている。
【先行技術文献】
【特許文献】
【０００３】
【特許文献１】特開２００５−２１４７７７号公報（第４−７頁、第３−５図）
【発明の概要】
【発明が解決しようとする課題】
【０００４】
しかしながら、従来の分析装置には、以下の問題点が存在する。すなわち、従来の分析装置では、周波数を画面左右方向に対応させると共に各周波数のレベルを画面上下方向に対応させたスペクトル波形を表示させる構成が採用されている。この場合、この種の装置の使用形態として、各周波数についての時間に応じたレベルの変化について分析するとの使用形態がある。このような使用形態に関し、従来の分析装置では、前述した演算処理時に時間窓をずらすことによって各時間毎のスペクトル求めることが可能となっている。しかしながら、従来の分析装置では、各周波数についての時間に応じたレベルの変化について分析しようとしたときに、各時間毎のスペクトル波形を順次切り替えて表示させる必要がある。このため、従来の分析装置では、表示画面の切替え操作が煩雑であるばかりでなく、表示させたスペクトル波形の測定時間に対する前後の時間に対応するスペクトル波形が表示画面に同時に表示されていないことに起因して、レベルの変化量を直感的に把握するのが困難となっている。
【０００５】
このような課題を改善すべく、出願人は、入力信号についての周波数スペクトルを所定時間間隔で測定すると共に、測定した各スペクトルを表すグラフを表示画面内において所定量ずつずらして測定順に重ねて表示させる測定結果表示装置を開発している。具体的には、出願人が開発している測定結果表示装置では、図７に示すように、周波数（この例では、１０ｋＨｚ〜４０ｋＨｚ）を画面左右方向（矢印Ａ１の方向）に対応させると共に周波数のレベル（この例では、−１３０ｄＢ〜−３０ｄＢ）を画面上下方向（矢印Ａ２の方向）に対応させて各周波数についての測定されたレベルをグラフによって表示するスペクトル表示用フレーム１１ａ〜１１ｈ（以下、単に「フレーム１１ａ〜１１ｈ」ともいう）を、矢印Ａ１，Ａ２と交差する左下がりの斜め方向（矢印Ａ３の方向）にずらして測定順に重ねて表示させる測定結果表示用画面１０ｘを表示可能に構成されている。この出願人が開発している測定結果表示装置によれば、煩雑な切替え操作を行うことなく、測定順に並んで表示されたフレーム１１ａ〜１１ｈ（以下、区別しないときには「フレーム１１」ともいう）内の各グラフＧａ〜Ｇｈを参照することができる。
【０００６】
この場合、出願人が開発している測定結果表示装置における測定結果表示用画面１０ｘにおいて、最も手前のフレーム１１ａでは、周波数やレベルとフレーム１１ａ内の各座標との関係を示すグリッド表示や文字情報（この例では、「１０ｋＨｚ」、「４０ｋＨＺ」、「−１３０ｄＢ」および「−３０ｄＢ」との文字情報）が存在するため、グラフＧａを参照する際に、どの周波数がどのレベルであるかを直感的に認識することが可能となっている。しかしながら、フレーム１１ｂ〜１１ｈでは、グリッド表示や文字情報が存在しないだけでなく、手前のフレーム１１に対して右上にずれて表示されているため、不慣れな利用者にとっては、グラフＧｂ〜Ｇｈを参照する際に、どの周波数がどのレベルであるかを直感的に認識するのが困難となっている。このため、この点を改善するのが好ましい。
【０００７】
本発明は、かかる改善すべき課題に鑑みてなされたものであり、各測定結果表示用フレームのグラフによって示したレベルを確実かつ容易に読み取り可能に表示し得る測定結果表示装置および測定結果表示方法を提供することを主目的とする。
【課題を解決するための手段】
【０００８】
上記目的を達成すべく、請求項１記載の測定結果表示装置は、測定対象成分を第１方向に対応させると共に当該測定対象成分のレベルを当該第１方向と交差する第２方向に対応させて当該各測定対象成分の測定されたレベルをグラフによって表示する測定結果表示用フレームを表示部に表示させる表示制御部を備えた測定結果表示装置であって、前記表示制御部が、複数の前記測定結果表示用フレームを第３方向にずらして測定順およびその逆順のいずれかの順に重ねて表示させると共に、いずれかの前記レベルが指定されたときに、前記各測定結果表示用フレームにおける前記指定されたレベルを結ぶ指定レベル面表示を前記表示部に表示させる。
【０００９】
請求項２記載の測定結果表示装置は、請求項１記載の測定結果表示装置において、前記表示制御部が、前記レベルが指定されたときに、前記各測定結果表示用フレームの前記グラフにおいて当該指定されたレベルを上回るレベルの表示部位と、前記グラフにおいて前記指定されたレベルを下回るレベルの表示部位とを区別して前記表示部に表示させる。
【００１０】
請求項３記載の測定結果表示装置は、請求項１または２記載の測定結果表示装置において、前記表示制御部が、所定の条件が指定されたときに、前記各測定結果表示用フレームの前記グラフにおいて当該指定された指定条件を満たすレベルの表示部位と、前記グラフにおいて前記指定条件を満たさないレベルの表示部位とを区別して前記表示部に表示させる。
【００１１】
請求項４記載の測定結果表示装置は、請求項３記載の測定結果表示装置において、前記表示制御部が、前記指定条件を満たすレベルが存在する前記測定結果表示用フレームを前記表示部に表示させた状態において当該指定を満たすレベルが存在しない前記測定結果表示用フレームを非表示とする。
【００１２】
請求項５記載の測定結果表示方法は、測定対象成分を第１方向に対応させると共に当該測定対象成分のレベルを当該第１方向と交差する第２方向に対応させて当該各測定対象成分の測定されたレベルをグラフによって表示する測定結果表示用フレームを表示部に表示させる測定結果表示方法であって、複数の前記測定結果表示用フレームを第３方向にずらして測定順およびその逆順のいずれかの順に重ねて表示させると共に、いずれかの前記レベルが指定されたときに、前記各測定結果表示用フレームにおける前記指定されたレベルを結ぶ指定レベル面表示を前記表示部に表示させる。
【発明の効果】
【００１３】
請求項１記載の測定結果表示装置、および請求項５記載の測定結果表示方法によれば、測定対象成分を第１方向に対応させると共に測定対象成分のレベルを第１方向と交差する第２方向に対応させて各測定対象成分の測定されたレベルをグラフによって表示する複数の測定結果表示用フレームを第３方向にずらして測定順およびその逆順のいずれかの順に重ねて表示させると共に、いずれかのレベルが指定されたときに、各測定結果表示用フレームにおける上記の指定されたレベルを結ぶ指定レベル面表示を表示させることにより、煩雑な画面切替え操作を行うことなく複数の測定結果表示用フレーム（グラフ）を測定結果表示用画面内に表示させることができるだけでなく、不慣れな利用者であっても、各測定結果表示用フレーム（グラフ）において、指定したレベルを上回るレベルの表示部位（または、指定したレベルを下回るレベルの表示部位）を確実かつ容易に特定することができる。
【００１４】
また、請求項２記載の測定結果表示装置によれば、レベルが指定されたときに、各測定結果表示用フレームのグラフにおいて指定されたレベルを上回るレベルの表示部位と、グラフにおいて指定されたレベルを下回るレベルの表示部位とを区別して表示させることにより、不慣れな利用者であっても、各測定結果表示用フレーム（グラフ）において、指定したレベルを上回るレベルの表示部位（または、指定したレベルを下回るレベルの表示部位）を一層確実かつ一層容易に特定することができる。
【００１５】
さらに、請求項３記載の測定結果表示装置によれば、所定の条件が指定されたときに、各測定結果表示用フレームのグラフにおいて指定された指定条件を満たすレベルの表示部位と、グラフにおいて指定条件を満たさないレベルの表示部位とを区別して表示させることにより、指定したレベルを上回るレベルの表示部位（または、指定したレベルを下回るレベルの表示部位）を確実かつ容易に特定することができるだけでなく、所望の条件（指定した条件）を満たすグラフの表示部位を確実かつ容易に特定することができる。
【００１６】
また、請求項４記載の測定結果表示装置によれば、指定条件を満たすレベルが存在する測定結果表示用フレームを表示させた状態において指定を満たすレベルが存在しない測定結果表示用フレームを非表示とすることにより、所望の条件（指定した条件）を満たすグラフの表示部位を一層確実かつ一層容易に特定することができる。
【図面の簡単な説明】
【００１７】
【図１】測定結果表示装置１のブロック図である。
【図２】測定結果表示用画面１０の表示画面図である。
【図３】図２に示す測定結果表示用画面１０内に指定レベル面表示１５を表示させると共に、各グラフＧａ〜Ｇｈにおける指定レベルを上回るレベルの表示部位を強調表示させた状態の表示画面図である。
【図４】図３に示す測定結果表示用画面１０において指定条件を満たすレベルの表示部位だけを強調表示させた状態の表示画面図である。
【図５】指定条件を満たすレベルが存在するフレームだけを表示させた状態の表示画面図である。
【図６】測定結果表示用画面１０Ａの表示画面図である。
【図７】測定結果表示用画面１０ｘの表示画面図である。
【発明を実施するための形態】
【００１８】
以下、添付図面を参照して、測定結果表示装置および測定結果表示方法の実施の形態について説明する。
【００１９】
図１に示す測定結果表示装置１は、入力信号Ｓｉについての周波数スペクトルを測定して表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングすることによって測定データＤ１を生成して出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。操作部４は、測定結果表示装置１の動作条件を設定するための各種の操作スイッチや、後述するスケール表示１３およびカーソル表示１４（図２〜４参照）を移動させるための操作スイッチを備え、スイッチ操作に応じた操作信号Ｓ１を制御部６に出力する。
【００２０】
表示部５は、カラー液晶表示パネルを備えて構成され、制御部６の制御に従って、図２〜５に示す測定結果表示用画面１０や、図６に示す測定結果表示用画面１０Ａなどを表示する。制御部６は、一例として、ＦＰＧＡ（Field Programmable Gate Array ）およびＣＰＵを備えて構成され、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を生成する。また、制御部６は、表示制御部として機能して、上記の測定データＤ２に基づいて、測定結果表示用画面１０，１０Ａなどを表示部５に表示させるための表示用データを生成すると共に、生成した表示用データを表示部５に出力することによって測定結果表示用画面１０，１０Ａなどを表示させる。
【００２１】
この場合、測定結果表示用画面１０，１０Ａは、制御部６によって演算された周波数スペクトルを測定順に表示するための表示画面であって、出願人が開発している測定結果表示装置における測定結果表示用画面１０ｘと同様にして、複数のスペクトル表示用フレーム１１ａ〜１１ｈ（「測定結果表示用フレーム」の一例：以下、単に「フレーム１１ａ〜１１ｈ」ともいう。また、これらを区別しないときには「フレーム１１」ともいう）が左下がりの斜め方向（矢印Ａ３の方向）に所定量ずつずれながら重なって表示されている。なお、図２，６では、測定結果表示用画面１０，１０Ａの画面構成についての理解を容易とするために、フレーム１１ａ〜１１ｈの８フレームだけを図示しているが、この測定結果表示装置１では、利用者の目的に応じてさらに多数のフレーム１１（一例として、１０〜２００フレーム）を測定結果表示用画面１０，１０Ａ内に表示させることが可能となっている。
【００２２】
この場合、この測定結果表示装置１では、周波数（「測定対象成分」の一例：この例では、１０ｋＨｚ〜４０ｋＨｚ）を画面左右方向（矢印Ａ１の方向：「第１方向」の一例）に対応させると共に、周波数のレベル（「ｄＢ」）を画面上下方向（矢印Ａ２の方向：「第１方向と交差する第２方向」の一例）に対応させて、各周波数についての「測定されたレベル（周波数スペクトル）」をグラフＧａ〜Ｇｈ（以下、区別しないときには「グラフＧ」ともいう）によって測定結果表示用画面１０，１０Ａ内に表示させる構成が採用されている。また、この測定結果表示装置１では、各フレーム１１を左下がり方向（矢印Ａ３の方向：「第３方向」の一例）にずらして測定順に重ねて（一例として、最新の測定結果に近い測定結果のフレーム１１ほど左下に位置するように、右上から左下に向かう向きで重ねて）三次元的に表示させるように測定結果表示用画面１０，１０Ａを表示させる構成が採用されている。なお、最新の測定結果に近い測定結果のフレーム１１ほど右上に位置するように、左下から右上に向かう向きで測定順の逆順で重ねて各フレーム１１を表示させる構成を採用することもできる。
【００２３】
さらに、この測定結果表示装置１では、各フレーム１１のうちの指定したフレーム（この例では、最も手前のフレーム１１ａ）において所望の周波数を指定するためのスケール表示１３およびカーソル表示１４をフレーム１１に重ねて測定結果表示用画面１０内に表示する構成が採用されている。この場合、この測定結果表示装置１では、上記の「指定したフレーム１１」を他のフレーム１１と区別させるために、一例として、指定したフレーム１１のグラフＧ（この例では、フレーム１１ａのグラフＧａ）が強調表示される構成が採用されている。なお、同図では、強調表示の一例として、フレーム１１ａのグラフＧａをフレーム１１ｂ〜１１ｈのグラフＧｂ〜Ｇｈよりも太い線で描画した例を図示しているが、このような強調表示に変えて、指定したフレーム１１のグラフＧの表示色を他のフレーム１１のグラフＧの表示色とは相違させて表示させる構成や、指定したフレーム１１のグラフＧを点滅表示させる構成を採用することもできる。
【００２４】
また、この測定結果表示装置１では、カーソル表示１４が、スケール表示１３の移動に伴って、指定されたフレーム１１（フレーム１１ａ）に表示されているグラフＧ（グラフＧａ）とスケール表示１３との交差位置に移動して表示される構成が採用されている。この場合、この測定結果表示装置１では、上記の「指定したフレーム１１」においてスケール表示１３を画面左右方向（第１方向）に移動させることによって所望の周波数（「測定対象成分」の一例）を指定することが可能となっている。また、この測定結果表示装置１では、フレーム１１におけるカーソル表示１４の座標に対応する周波数およびレベルが測定値表示領域１２内に表示される構成が採用されている。
【００２５】
さらに、この測定結果表示装置１では、後述するようにして、利用者によって所定のレベルが指定されたときに、指定されたレベルを示す指定レベル面表示１５（図３〜６参照）を測定結果表示用画面１０内に表示させる構成が採用されている。また、この測定結果表示装置１では、後述するようにして、利用者によって所定の条件が指定されたときに、各フレーム１１の各グラフＧにおいて、指定された条件を満たすレベルの表示部位を強調表示させたり、指定された条件を満たすレベルが存在するフレーム１１だけを測定結果表示用画面１０内に表示させたりする（指定された条件を満たすレベルが存在しないフレーム１１を非表示としたりする）構成が採用されている。
【００２６】
この測定結果表示装置１の使用に際しては、まず、操作部４を操作して測定結果表示装置１の動作条件（測定条件）を設定する。具体的には、一例として、入力信号Ｓｉについての１０ｋＨｚ〜４０ｋＨｚの範囲内の各周波数のスペクトルを測定して、その測定結果（この例では、−１３０ｄＢ〜−３０ｄＢの範囲内のうちのいずれのレベルであるか）を各フレーム１１にグラフＧによって表示させるように設定する。この際には、一例として、各フレーム１１の描画間隔（「第３方向」に対応する各フレーム１１の測定時間間隔）を１ｍｓに設定する。次いで、操作部４の開始スイッチを操作することにより、制御部６による周波数スペクトルの表示処理（測定結果表示用画面１０の表示処理）が開始される。具体的には、操作部４から処理開始を指示する操作信号Ｓ１が出力されたときに、制御部６は、測定部２を制御して測定処理を開始させる。これに応じて、測定部２は、入力信号Ｓｉをデジタル変換すると共に、変換したデジタル信号について１ｍｓでサンプリングして測定データＤ１を生成し、生成した測定データＤ１を制御部６に出力する。
【００２７】
また、制御部６は、測定部２から出力された測定データＤ１をメモリ３に順次記憶させる。さらに、制御部６は、上記の測定データＤ１のメモリ３への記憶処理と並行して、測定データＤ１に基づく周波数スペクトルの演算処理を実行する。具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。また、制御部６は、上記の一連の処理と並行して、演算結果（測定結果：測定対象の入力信号Ｓｉについての周波数スペクトル）を表示させるための表示用データを生成して出力することにより、図２に示すように、測定結果表示用画面１０を表示部５に表示させる。
【００２８】
具体的には、制御部６は、まず、最初の測定データＤ２に基づく周波数スペクトルをフレーム１１ａにグラフＧａとして表示させるための表示用データを生成して表示部５に出力する。この場合、最初の測定データＤ２に基づいて生成された表示用データが表示部５に出力された時点においては、フレーム１１ａ（グラフＧａ）だけが測定結果表示用画面１０内に表示されると共に、フレーム１１ｂ〜１１ｃは非表示の状態となっている。また、制御部６は、２番目の測定データＤ２（最初の測定データＤ２の１ｍｓ後に生成された測定データＤ２）に基づく周波数スペクトルを表示させる際には、フレーム１１ａに表示させていた最初の測定データＤ２に基づくグラフＧａをグラフＧｂとしてフレーム１１ｂに表示させると共に、２番目の測定データＤ２に基づく周波数スペクトルをフレーム１１ａにグラフＧａとして表示させるための表示用データを生成して表示部５に出力する。
【００２９】
さらに、制御部６は、３番目の測定データＤ２に基づく周波数スペクトルを表示させる際には、フレーム１１ｂに表示させていた最初の測定データＤ２に基づくグラフＧｂをグラフＧｃとしてフレーム１１ｃに表示させ、かつ、フレーム１１ａに表示させていた２番目の測定データＤ２に基づくグラフＧａをグラフＧｂとしてフレーム１１ｂに表示させると共に、３番目の測定データＤ２に基づく周波数スペクトルをフレーム１１ａにグラフＧａとして表示させるための表示用データを生成して表示部５に出力する。このように、この測定結果表示装置１では、制御部６によって新たな測定データＤ２が生成されてこの測定データＤ２基づくグラフＧを表示させる度に、それ以前に各フレーム１１に表示させていたグラフＧを１つ右上に位置するフレーム１１に移動させて表示させると共に、最新の測定データＤ２に基づく周波数スペクトルを最も手前のフレーム１１ａ内にグラフＧａとして表示させるように表示用データを生成して表示部５に出力することによって、最新の測定データＤ２に基づくグラフＧを最も手前のフレーム１１ａ内に表示させる構成が採用されている。
【００３０】
したがって、この例では、測定結果表示用画面１０内にフレーム１１ａ〜１１ｈの８フレームだけが存在するため、最初の測定データＤ２に基づく周波数スペクトルがグラフＧａとしてフレーム１１ａに表示された時点から８ｍｓが経過した時点において、この測定データＤ２に基づく周波数スペクトルが非表示となって、フレーム１１ｈには、２番目の測定データＤ２に基づくグラフＧｈが表示された状態となる。つまり、この測定結果表示装置１では、一連の測定処理と並行して測定結果をリアルタイムで表示させる際に、最新の８ｍｓ分の周波数スペクトルだけが測定結果表示用画面１０内に表示されることとなる。
【００３１】
この場合、この測定結果表示装置１では、測定結果表示用画面１０を表示させた状態において、利用者によって所定のレベルが指定されたときに、この指定されたレベルを表す指定レベル面表示１５を各フレーム１１に重ねて表示させる構成が採用されている。具体的には、まず、操作部４を操作して、任意のレベル（例えば「−９０ｄＢ以上」）を指定する（「いずれかのレベルが指定されたとき」の一例）。この際に、制御部６は、図３に示すように、各フレーム１１における指定されたレベルを結ぶ指定レベル面表示１５を表示部５に表示させる。この指定レベル面表示１５は、各フレーム１１における上記の「指定されたレベル」に対応する仮想線（一点鎖線Ｌａ〜Ｌｈ）において各フレーム１１に対して交差する仮想的な面を表している。なお、同図に示す一点鎖線Ｌａ〜Ｌｈは、指定レベル面表示１５についての理解を容易とするために図示した線分であって、実際の測定結果表示用画面１０においては、この一点鎖線Ｌａ〜Ｌｈは表示されない。
【００３２】
また、制御部６は、各フレーム１１の各グラフＧにおいて指定されたレベルを上回るレベル（指定されたレベルを超えるレベル）の表示部位と、各グラフＧにおいて指定されたレベルを下回るレベル（指定されたレベル未満のレベル）の表示部位とを区別して表示部５に表示させる。具体的には、一例として、各グラフＧにおいて指定されたレベルを上回るレベルの表示部位を太い実線で強調表示させると共に、各グラフＧにおいて指定されたレベルを下回るレベルの表示部位を細い破線で表示させる。この場合、同図に示す太線による強調表示に代えて、各グラフＧにおいて指定されたレベルを上回るレベルの表示部位を各グラフＧにおいて指定されたレベルを下回るレベルの表示部位の表示色とは異なる表示色で強調表示させる構成や、各グラフＧにおいて指定されたレベルを上回るレベルの表示部位を点滅表示させることで強調表示させる構成を採用することもできる。また、同図に示す細い破線による表示に代えて、各グラフＧにおいて指定されたレベルを下回る部位を非表示とする構成を採用することもできる。これにより、測定結果表示用画面１０を参照した利用者に対して、各フレーム１１の各グラフＧにおいていずれの部位が「−９０ｄＢ」を上回っているかを直感的に認識させることが可能となっている。
【００３３】
この場合、この測定結果表示装置１では、例えば「−９０ｄＢ以下」と指定されたとき（「いずれかのレベルが指定されたとき」の他の一例）には、上記の例と同様にして、指定レベル面表示１５が表示部５に表示されると共に、一例として、各グラフＧにおいて指定されたレベルを下回るレベルの表示部位が太い実線で強調表示され、かつ各グラフＧにおいて指定されたレベルを上回るレベル（指定されたレベルを超えるレベル）の表示部位が細い破線で表示される（図示せず）。これにより、「−９０ｄＢ以下」とのレベル指定が行われたときには、各フレーム１１の各グラフＧにおいて指定されたレベルを下回るレベルの表示部位と、各グラフＧにおいて指定されたレベルを上回るレベルの表示部位とが区別されて表示部５に表示される。この結果、測定結果表示用画面１０を参照した利用者に対して、各フレーム１１の各グラフＧにおいていずれの部位が「−９０ｄＢ以下」であるかを直感的に認識させることが可能となっている。この後、制御部６は、設定された測定条件に従って一連の測定処理を実行し、測定処理の終了条件が満たされたときに（例えば、終了時刻が到来したときに）、測定処理を終了する。これにより、メモリ３内には、一連の測定処理によって生成された多数の測定データＤ２が記憶された状態となる。
【００３４】
一方、この測定結果表示装置１では、一連の測定処理によってメモリ３内に記憶させた各測定データＤ２について任意の条件を指定することによって、上記の各フレーム１１内のグラフＧにおいて指定条件を満たす測定値の表示部位を、指定条件を満たさない測定値の表示部位と区別して測定結果表示用画面１０内に表示させることが可能となっている。具体的には、操作部４の操作スイッチを操作することにより、一例として、「−９０ｄＢ以上の値が測定された測定データＤ２に対応するグラフＧ（フレーム１１）における上位３つの測定値」との条件を指定する（「所定の条件が指定されたとき」の一例）。これに応じて、制御部６は、メモリ３内のすべての測定データＤ２を対象として、指定された条件を満たす測定値が存在するか否かを判別する。なお、実際には、上記の一連の測定処理が完了した時点において数百から数万個の測定データＤ２がメモリ３内に記憶された状態となっているが、測定結果表示装置１の動作原理についての理解を容易とするために、以下、８個の測定データＤ２がメモリ３内に記憶されているものとして説明する。
【００３５】
この際に、指定された条件を満たす測定値を含む測定データＤ２が存在するときには、制御部６は、図４に示すように、一例として、指定された条件に合致する測定値を含むグラフＧ（この例では、グラフＧｂ，Ｇｃ，Ｇｄ）において、指定された条件を満たすレベルの表示部位を太い実線で強調表示させると共に、指定された条件に合致する測定値を含むグラフＧ（グラフＧｂ，Ｇｃ，Ｇｄ）において、指定された条件を満たさないレベルの表示部位を細い破線で表示させる。また、制御部６は、一例として、指定された条件に合致する測定値を含まないグラフＧ（この例では、グラフＧａ，Ｇｅ，Ｇｆ，Ｇｇ，Ｇｈ）については、細い破線で表示させる。
【００３６】
この場合、上記の強調表示に代えて、表示色の変更や、点滅の有無による強調表示を採用することもできる。また、上記の細い破線による表示に変えて、指定された条件に合致する測定値を含むグラフＧ（この例では、グラフＧｂ，Ｇｃ，Ｇｄ）において、指定された条件を満たさないレベルに対応する部位を非表示とすることもできる。これにより、各フレーム１１の各グラフＧにおいて指定条件を満たすレベルの表示部位と、各グラフＧにおいて指定条件を満たさないレベルの表示部位とが区別されて表示部５に表示され、測定結果表示用画面１０を参照した利用者に対して、各グラフＧａ〜ＧｈのうちのグラフＧｂ，Ｇｃ，Ｇｄの３つによって「−９０ｄＢ以上の値であって上位３つの測定値」との条件を満たす測定結果が表示されているのを直感的に認識させることが可能となっている。
【００３７】
また、この測定結果表示装置１では、操作部４に対する所定のスイッチ操作によって、指定された条件に合致する測定値を含まないグラフＧ（この例では、グラフＧａ，Ｇｅ，Ｇｆ，Ｇｇ，Ｇｈ）を非表示とすることができる。具体的には、図４におけるフレーム１１ｂ，１１ｃ，１１ｄのグラフＧｂ，Ｇｃ，Ｇｄを表示させたままの状態で、フレーム１１ａ，１１ｅ，１１ｆ，１１ｇ，１１ｈのグラフＧａ，Ｇｅ，Ｇｆ，Ｇｇ，Ｇｈを非表示とする構成（指定された条件を満たすレベルが存在するフレーム１１（グラフＧ）の表示位置を変更しない構成）を採用することもできる。これにより、グラフＧｂ，Ｇｃ，Ｇｄの３つによって「−９０ｄＢ以上の値であって上位３つの測定値」との条件を満たす測定結果が表示されているのを直感的に認識させることが可能となっている。
【００３８】
さらに、図５に示すように、指定された条件に合致する測定値を含まないグラフＧを非表示としつつ、指定された条件に合致する測定値を含むグラフＧだけを測定結果表示用画面１０内に表示させることもできる。具体的には、制御部６は、一例として、図４においてフレーム１１ｂに表示させていたグラフＧｂをフレーム１１ａにグラフＧａとして表示させ、図４においてフレーム１１ｃに表示させていたグラフＧｃをフレーム１１ｂにグラフＧｂとして表示させ、図４においてフレーム１１ｄに表示させていたグラフＧｄをフレーム１１ｃにグラフＧｃとして表示させる。これにより、図４に示す測定結果表示用画面１０と同様にして、グラフＧａ〜Ｇｃ（図４におけるグラフＧｂ，Ｇｃ，Ｇｄに対応する）の３つによって「−９０ｄＢ以上の値であって上位３つの測定値」との条件を満たす測定結果が表示されているのを直感的に認識させることが可能となっている。
【００３９】
さらに、この測定結果表示装置１では、例えば、図３〜５に示すように指定レベル面表示１５を測定結果表示用画面１０に表示させた状態において、フレーム１１ａに対応させて表示させたグリッド表示が各グラフＧの視認の妨げとなるような場合に、上記の測定結果表示用画面１０に代えて、図６に示す測定結果表示用画面１０Ａを表示部５に表示させることができるように構成されている。なお、この測定結果表示用画面１０Ａにおいて前述した測定結果表示用画面１０と同様の表示要素については、同一の符号を付して重複する説明を省略する。この測定結果表示用画面１０Ａでは、測定結果表示用画面１０においてフレーム１１ａに対応して表示させていたグリッド表示が、最後部のフレーム１１（この例では、フレーム１１ｈ）に対応して表示される。これにより、各グラフＧにおいて指定されたレベル（この例では、「−９０ｄＢ」）を上回るレベルの表示部位の視認性が良好となる。
【００４０】
このように、この測定結果表示装置１、および測定結果表示装置１による測定結果表示方法によれば、周波数（測定対象成分）を矢印Ａ１の方向（第１方向）に対応させると共に周波数のレベルを矢印Ａ２の方向（第１方向と交差する第２方向）に対応させて各周波数の測定されたレベルをグラフＧａ〜Ｇｈによって表示する複数のスペクトル表示用フレーム（測定結果表示用フレーム）１１ａ〜１１ｈを矢印Ａ３の方向（第３方向）にずらして測定順に重ねて表示させると共に、いずれかのレベルが指定されたときに、各フレーム１１における指定されたレベル（一点鎖線Ｌａ〜Ｌｈの部位）を結ぶ指定レベル面表示１５を表示させることにより、煩雑な画面切替え操作を行うことなく複数のフレーム１１（グラフＧ）を測定結果表示用画面１０内に表示させることができるだけでなく、不慣れな利用者であっても、各フレーム１１（グラフＧ）において、指定したレベルを上回るレベルの表示部位（または、指定したレベルを下回るレベルの表示部位）を確実かつ容易に特定することができる。
【００４１】
また、この測定結果表示装置１、および測定結果表示装置１による測定結果表示方法によれば、レベルが指定されたときに、各フレーム１１のグラフＧにおいて指定されたレベルを上回るレベルの表示部位と、グラフにおいて指定されたレベルを下回るレベルの表示部位とを区別して表示させることにより、不慣れな利用者であっても、各フレーム１１（グラフＧ）において、指定したレベルを上回るレベルの表示部位（または、指定したレベルを下回るレベルの表示部位）を一層確実かつ一層容易に特定することができる。
【００４２】
さらに、この測定結果表示装置１、および測定結果表示装置１による測定結果表示方法によれば、所定の条件が指定されたときに、各測定結果表示用フレームのグラフにおいて指定された指定条件を満たすレベルの表示部位と、グラフにおいて指定条件を満たさないレベルの表示部位とを区別して表示させることにより、指定したレベルを上回るレベルの表示部位（または、指定したレベルを下回るレベルの表示部位）を確実かつ容易に特定することができるだけでなく、所望の条件（指定した条件）を満たすグラフＧの表示部位を確実かつ容易に特定することができる。
【００４３】
また、この測定結果表示装置１、および測定結果表示装置１による測定結果表示方法によれば、指定条件を満たすレベルが存在する測定結果表示用フレームを表示させた状態において指定を満たすレベルが存在しない測定結果表示用フレームを非表示とすることにより、所望の条件（指定した条件）を満たすグラフＧの表示部位を一層確実かつ一層容易に特定することができる。
【００４４】
なお、上記の測定結果表示装置１では、グラフの一例として、グラフＧａ〜Ｇｈのような折れ線グラフを測定結果表示用画面１０，１０Ａ内に表示させる構成を採用しているが、折れ線グラフに代えて各成分（周波数）毎のレベルを示す棒グラフを表示させるように表示用データを生成する構成を採用することもできる。また、指定条件は、「すべての測定データのうちの上位ｎ個（ｎは、任意の自然数）の測定値」との条件だけでなく、「すべての測定データのうちの下位ｎ個（ｎは、任意の自然数）の測定値」との条件、「所定の測定対象成分（例えば周波数）の範囲における各値の極大値（または、極小値）」との条件、および「所定の時間内に実行された測定処理によって生成された測定データの測定値」との条件などの各種の条件がこれに含まれる。また、上記の各条件を任意に組み合わせた条件も指定条件に含まれる。
【符号の説明】
【００４５】
１  測定結果表示装置
５  表示部
６  制御部
１０，１０Ａ  測定結果表示用画面
１１ａ〜１１ｈ  スペクトル表示用フレーム
１５  指定レベル面表示
Ｄ１，Ｄ２  測定データ
Ｇａ〜Ｇｈ  グラフ
Ｌａ〜Ｌｈ  一点鎖線
Ｓｉ  入力信号
【図１】
2011033370.tif 000003
【図２】
2011033370.tif 000004
【図３】
2011033370.tif 000005
【図４】
2011033370.tif 000006
【図５】
2011033370.tif 000007
【図６】
2011033370.tif 000008
【図７】
2011033370.tif 000009